(57)【特許請求の範囲】
【請求項１】
光源と、前記光源から出射した光束を、偏向走査する偏向手段と、副走査方向のパワーを有する光学素子と、前記偏向手段にて偏向走査された光束を被走査体に結像させる結像手段と、を有する光走査装置において、
前記副走査方向のパワーを有する光学素子は、光軸を中心とした球形状部を副走査方向の光線領域外に有し、
前記球形状部の中心を通り、且つ、光軸中心と主走査方向に直交する軸を中心とした円柱形状部を主走査方向の光線領域外に設け、
前記光走査装置の筐体が、前記光学素子の前記球形状部をＶ字形支持部で支持し、前記光学素子の前記円柱形状部を副走査方向の円柱形状支持部で支持する、
ことを特徴とする光走査装置。
【請求項２】
前記光学素子の前記円柱形状部を支持する前記筐体の円柱形状支持部の、前記円柱形状部を支持する当接面の半径が、前記光学素子の前記円柱形状部の半径より大きいことを特徴とする請求項１に記載の光走査装置。
【請求項３】
前記光学素子の前記球形状部の半径が、前記筐体の前記Ｖ字形支持部と前記光学素子の前記球形状部との当接部の間隔より小さいことを特徴とする請求項１又は２に記載の光走査装置。
【請求項４】
感光体に光走査装置により画像情報に応じた光を露光することにより潜像を形成し、該潜像を現像手段にてトナー像とする画像形成装置において、
前記光走査装置は、請求項１〜３のいずれかの項に記載の光走査装置であることを特徴とする画像形成装置。
【発明の詳細な説明】
【技術分野】
【０００１】
本発明は、偏向手段を用いて光ビームを被走査体に走査する光走査装置、及び光走査装置を用いた電子写真方式の複写機、プリンタ等の画像形成装置に関するものである。
【背景技術】
【０００２】
例えば、電子写真方式のデジタル複写機、レーザービームプリンタ等の画像形成装置においては静電潜像を形成するのに光走査装置が用いられている。この光走査装置は、画像信号に応じて光源手段から光変調され出射した光束を、例えば回転多面鏡のような偏向手段によって周期的に偏向させ、ｆθ特性を有する結像光学素子によって、被走査体である感光体上にスポット状に集束させている。
【０００３】
フルカラー画像形成装置のように複数の被走査体（感光体）に形成された潜像をもとにトナー画像を重ね合わせて画像形成を行うものにおいては、複数の光走査装置によって走査される走査光の幾何特性によって色ずれという画像不良が発生する。
【０００４】
この走査光の幾何特性としては、図８（Ａ）〜（Ｅ）の各パラメータが挙げられる。図８（副走査方向Ａ）において、各パラメータのうち、上下マージンずれ（Ａ）及び左右マージンずれ（Ｂ）は、レーザ書き込みタイミングを必要量だけ変化させて行うことが可能である。倍率ずれ（Ｄ）は、レーザダイオードの変調する変調周波数を所定量だけ変化して行うことができる。これらの３項目の調整は、前述のように電気的な同期タイミングや周波数を変化させることで比較的容易にできる。
【０００５】
しかし、残る走査線傾き（Ｃ）と走査線曲がり（Ｅ）に関しては、同様に画像信号に変えて調整するには大掛かりでコストの高い構成を必要とする。そこで、これらの残る調整項目は光学的な手法により行う必要がある。
【０００６】
そのため複数の走査光の幾何特性を一致させるために、調整手段を有する光走査装置、及び、斯かる光走査装置を備えた画像形成装置が提案されている（例えば、特許文献１参照）。
【０００７】
本願添付の図９及び図１０に、この種の光走査装置の要部概略図と走査光の幾何特性の調整手段を示す。
【０００８】
図９において、被走査体であるドラム状の感光体、即ち、感光ドラム２の面上を走査する光束が光源ユニット１９を出射して副走査方向に所定の屈折力を有するシリンドリカルレンズ１８を通過し、回転多面鏡１１の偏向面に線状に集光される。光束は、回転多面鏡１１により偏向反射されてトーリックレンズ１２及び回折光学素子１３を経て感光ドラム２面上に照射する。光軸Ｌは、走査中心軸及びトーリックレンズ１２の光軸に相当している。
【０００９】
このような光走査装置においては、回折光学素子１３の光軸をほぼ中心にして矢印Ｇ方向に回動することにより、感光ドラム２面上に走査される光束は点線Ｈで示すように傾いて走査される。
【００１０】
この回折光学素子１３の回動量と走査線の傾き量とはほぼ比例した関係にあるため傾きずれを補正する必要分だけ回折光学素子１３を回動させることにより、走査線の傾きを調整することができる。
【００１１】
同様に、走査線曲がり調整については、図１０に示す回折光学素子１３を光軸Ｌと直交する直線Ｍを中心として矢印Ｒ方向に回動することにより、感光ドラム２面上に走査される光束は、点線Ｊで示すように曲がって走査される。
【００１２】
この回折光学素子１３の回動量と走査線の曲がり量とはほぼ比例した関係にあるため曲がりずれを補正する必要分だけ回折光学素子１３を回動させることにより、走査線の曲がりを調整することができる。
【００１３】
このように、走査線の傾き調整は、光軸Ｌを中心として回折光学素子１３をＧ方向に回動させて行っているため、主走査方向の光軸ずれや球面収差による光学性能を悪化することがほとんど無い。また、走査線曲がり調整においても、回折光学素子１３を光軸Ｌと直交する直線Ｍを中心としてＲ方向に回動するため、副走査方向の照射位置変動が小さく、光学性能の悪化を低減できる。
【００１４】
ところが、特許文献１においては、回折光学素子１３の具体的な支持方法の記載は無く、走査線の傾き調整を光軸Ｌ中心に回折光学素子１３をＧ方向に回動させて行う構成の具体的な提案は、特許文献２に記載されている。
【００１５】
特許文献２においては、本願添付の図１１（Ａ）、（Ｂ）に示すように、光軸Ｌを中心とする円柱形状部１３Ａ、１３Ｂを回折光学素子１３が有し、回折光学素子１３を保持するホルダ１４に円柱形状部１３Ａ、１３ＢＡを嵌合保持させている。これにより、光軸Ｌ中心に回折光学素子１３をＧ方向に回動させて走査線の傾き調整を行っている。
【００１６】
一方、走査線曲がり調整を、回折光学素子１３の光軸Ｌと直交する直線Ｍを中心としてＲ方向に回動させて行う構成の具体的な提案は、特許文献３に記載されている。
【００１７】
特許文献３においては、本願添付の図１２に示すように、光軸Ｌと直交する直線Ｍを中心とする円柱形状部１３Ａ〜１３Ｄを回折光学素子１３が有する。そして、回折光学素子１３に設けた円柱形状部１３Ａ〜１３Ｄと同じ半径の円柱形状部を光走査装置の筐体に設けて保持している。これにより、回折光学素子１３の光軸Ｌと直交する直線Ｍを中心としてＲ方向に回動させて走査線曲がり調整を行っている。
【００１８】
また、特許文献４においては、本願添付の図１３に示すように、特許文献２と同様に光軸Ｌを中心とする円柱形状部１３Ａを回折光学素子１３が有する。そして、回折光学素子１３に設けた円柱形状部１３Ａと同じ半径の円柱形状部１４を光走査装置の筐体１５に設けて保持している。これにより、光軸Ｌ中心に回折光学素子１３をＧ方向に回動させて走査線の傾き調整を行い、回折光学素子１３を副走査方向にたわませることで、走査線曲がり調整を行っている。
【特許文献１】特開２００２−１４８５４１号公報
【特許文献２】特開２０００−７５２３２号公報
【特許文献３】特開２００３−１１４３９６号公報
【特許文献４】特開２００４−２６４３９６号公報
【発明の開示】
【発明が解決しようとする課題】
【００１９】
しかしながら、上述の技術においては以下のような問題点がある。
【００２０】
特許文献２においては、回折光学素子１３を保持するホルダ１４に円柱形状部１３Ａ、１３Ｂを嵌合保持するため、嵌合ガタ分光軸Ｌからのずれが主・副走査方向に発生してしまい、高精度な画像位置ずれ調整が困難になる。さらには、ホルダの寸法公差分、光軸Ｌからのずれ量が多くなり、ずれ分をキャンセルして高精度な画像位置ずれ調整を行うためには、複雑な調整機構を追加する必要があり、装置が大型化してしまう。また、走査線曲がりの調整機構を別途設ける必要があるため、この場合も装置が大型化してしまう。
【００２１】
特許文献３においては、回折光学素子１３に設けた円柱形状部１３Ａ〜１３Ｄと同じ半径の円柱形状部を光走査装置の筐体に設けて保持するため、部品追加による寸法公差分の精度悪化は少ない。しかし、実際は、回折光学素子１３に設けた円柱形状部１３Ａ〜１３Ｄと、筐体に設けた円柱形状部が寸法公差分ずれ、同一の半径とならず、正確な位置が定まらず、ピント方向や副走査方向にズレを生じ、高精度な画像位置ずれ調整が困難になる。また、走査線傾きの調整機構を別途設ける必要があるため、この場合も装置が大型化してしまう。
【００２２】
特許文献４においては、回折光学素子１３に設けた円柱形状部１３Ａと同じ半径の円柱形状部１４を光走査装置の筐体１５に設けて保持するため、部品追加による寸法公差分の精度悪化は少ない。しかし、実際は、回折光学素子１３に設けた円柱形状部１３Ａと、筐体１５に設けた円柱形状部１４が寸法公差分ずれ、同一の半径とならず、正確な位置が定まらず、光軸Ｌからのずれが主・副走査方向に発生してしまい、高精度な画像位置ずれ調整が困難になる。また、走査線曲がりの調整時に、回折光学素子１３を副走査方向に撓ませるため、回折光学素子１３に応力が発生し、光学性能が悪化してしまう恐れがある。また、撓ませるための調整保持機構が必要なため、この場合も装置が大型化してしまう。
【００２３】
本発明は上記問題点に鑑みてなされたものである。
【００２４】
つまり、本発明の目的は、簡単な構成で走査線の傾きと曲りを一つの光学素子だけで、光学性能をほとんど悪化させることなく調整可能とすることで、ローコストでコンパクトに、高画質な光走査装置を提供することを目的とする。
【００２５】
本発明の他の目的は、上記光走査装置を備えることにより、ローコストでコンパクトに、色ズレが少ない高画質の画像を得ることのできる画像形成装置を提供することである。
【課題を解決するための手段】
【００２６】
上記目的は本発明に係る光走査装置及び画像形成装置にて達成される。要約すれば、本発明は、第一の態様によれば、光源と、前記光源から出射した光束を、偏向走査する偏向手段と、副走査方向のパワーを有する光学素子と、前記偏向手段にて偏向走査された光束を被走査体に結像させる結像手段と、を有する光走査装置において、
前記副走査方向のパワーを有する光学素子は、光軸を中心とした球形状部を副走査方向の光線領域外に有し、
前記球形状部の中心を通り、且つ、光軸中心と主走査方向に直交する軸を中心とした円柱形状部を主走査方向の光線領域外に設け、
前記光走査装置の筐体が、前記光学素子の前記球形状部をＶ字形支持部で支持し、前記光学素子の前記円柱形状部を副走査方向の円柱形状支持部で支持する、
ことを特徴とする光走査装置が提供される。
【００２７】
本発明の第二の態様によれば、感光体に光走査装置により画像情報に応じた光を露光することにより潜像を形成し、該潜像を現像手段にてトナー像とする画像形成装置において、
前記光走査装置は、上記第一の態様による光走査装置であることを特徴とする画像形成装置が提供される。
【発明の効果】
【００２８】
本発明によれば、簡単な構成で走査線の傾きと曲りを一つの光学素子だけで、光学性能をほとんど悪化させることなく調整可能とすることで、ローコストでコンパクトに、高画質な光走査装置を提供することが可能である。また、本発明の画像形成装置によれば、斯かる光走査装置を備えることにより、ローコストでコンパクトに、色ズレが少ない高画質の画像を得ることができる。
【発明を実施するための最良の形態】
【００２９】
以下、本発明に係る光走査装置及び画像形成装置を図面に則して更に詳しく説明する。
【００３０】
実施例１
図１には、本発明に係る画像形成装置の一実施例である電子写真方式のデジタルフルカラー複写機の概略構成を示す。
【００３１】
先ず、本実施例の画像形成装置の全体構成について説明する。
【００３２】
（画像形成装置の全体構成）
本実施例にて、デジタルフルカラー複写機とされる画像形成装置１００のコピー動作（複写動作）については、既知の画像形成プロセスにより行われる。つまり、原稿読み取り部８によって原稿上の画像情報を読み取ると、フルカラー画像形成部１０により画像形成が行われ、転写材であるシート材Ｓに転写、定着を行う。
【００３３】
フルカラー画像形成部１０には色光別に画像情報を形成する４つの画像形成ステーションＰａ、Ｐｂ、Ｐｃ、Ｐｄが配置される。各画像形成ステーションＰａ、Ｐｂ、Ｐｃ、Ｐｄは、像担持体としてドラム状の電子写真感光体、即ち、感光ドラム２（２ａ，２ｂ、２ｃ、２ｄ）を有する。感光ドラム２の周りには専用の帯電手段３（３ａ、３ｂ、３ｃ、３ｄ）、及び、各色光別の画像情報に応じた光を被走査体である感光ドラムに露光するためのレーザ走査ユニットである光走査装置１（１ａ、１ｂ、１ｃ、１ｄ）が配置されている。更に、感光ドラム２の周りには、現像手段５（５ａ、５ｂ、５ｃ、５ｄ）、ドラムクリーニング手段４（４ａ、４ｂ、４ｃ、４ｄ）、及び、転写手段６（６ａ、６ｂ、６ｃ、６ｄ）がそれぞれ配置されている。
【００３４】
ここで、画像形成ステーションＰａ、Ｐｂ、Ｐｃ、Ｐｄは、それぞれ、シアン画像、マゼンタ画像、イエロー画像、ブラック画像を形成する。
【００３５】
一方、各画像形成ステーションＰａ〜Ｐｄを通過する態様で感光ドラム２ａ、２ｂ、２ｃ、２ｄの下方に無端ベルト状の中間転写ベルト６が配置されている。中間転写ベルト６は、駆動ローラ６２と従動ローラ６３、６５とに張架され、矢印Ｂ方向に周回駆動される。又、中間転写ベルト６の表面は、クリーニング手段６４にて清掃される。
【００３６】
斯かる構成において、先ず、第１画像形成ステーションＰａの帯電手段３ａ、レーザ走査ユニット１ａによる露光、等の公知の電子写真プロセス手段により感光ドラム２ａ上に画像情報のシアン成分の潜像を形成する。その後、該潜像は現像手段５ａでシアントナーを有する現像剤によりシアントナー像として可視像化され、転写手段６ａでシアントナー像が中間転写ベルト６の表面に転写される。
【００３７】
一方、上記シアントナー像が中間転写ベルト６上に転写されている間に第２の画像形成ステーションＰｂではマゼンタ成分色の潜像が感光ドラム２ｂ上に形成され、続いて現像手段５ｂでマゼンタトナーによるトナー像が得られる。そして、先の第１画像形成ステーションＰａで転写が終了した中間転写ベルト６に転写手段６ｂにて精度よくマゼンタトナー像が重ねて転写される。
【００３８】
以下、イエロー像、ブラック像についても同様な方法で画像形成が行われ、中間転写ベルト６に４色のトナー像の重ね合わせが終了する。中間転写ベルト６上の４色トナー像は２次転写ローラ６６にて、給紙装置７０、７８、７９などから給紙ローラ７１及び搬送ローラ７２、レジストローラ７３によりタイミングを合せて搬送されたシート材Ｓ上に再び転写（２次転写）される。そして、２次転写が終了したシート材Ｓは、定着ローラ対７４でトナー像が加熱定着され、シート材Ｓにフルカラー画像が得られる。
【００３９】
（光走査装置）
次に、図２〜図４を参照して、本発明に係る光走査装置１の一実施例について説明する。
【００４０】
本実施例にて、レーザ走査ユニットである光走査装置１（１ａ、１ｂ、１ｃ、１ｄ）はすべて同構成となっている。図２は、１つの光走査装置１を例にとったときの要部平面図、図３及び図４は、それぞれ、図２の矢印Ａ方向とＢ方向から見たときの要部正面図である。
【００４１】
光走査装置１は、光源ユニット１９を備えている。光源ユニット１９は、レーザ発光ダイオード１９−１及びその駆動電気基板１９−２と、コリメータレンズ鏡筒１９−３及び不図示の開口しぼりを有しており、平行なレーザ光を放射している。光走査装置１は、更に、紙面の上下方向に屈折力を有するシリンダーレンズ１８と、レーザ光を偏向し走査する偏向手段１１とを有している。偏向手段１１は、ポリゴンミラー１１ａとそのモータ部１１ｂとを有している（図３参照）。
【００４２】
更に、光走査装置１は、レーザ光を感光ドラム２上に所定のスポット径で結像するトーリックレンズ１２及び副走査方向にパワーを有する光学素子、即ち、回折光学素子１３を備えており、回折光学素子１３は、走査光学系の一要素を構成している。また、反射ミラー１７及び防塵ガラス２０が、光走査装置１の一つの筐体である光学ハウジング９０に対してスライド挿抜可能に保持されている（図４参照）。
【００４３】
また、図４に示すように、光走査装置１に配置された同期検出手段１６が、感光ドラム上に１ライン毎のレーザ光書き込みタイミング（同期信号）をとっている。そのため、光走査装置１は、同期検出手段１６に光束を反射させる為の反射ミラー１４、及び、同期検出手段１６に光束を集光する為の結像レンズ１５を備えている。
【００４４】
また、本実施例にて、光走査装置１ａ〜１ｄは、各々画像形成装置本体１００Ａの水平面、若しくは、多少の傾斜をもったステー上に上方から取り付けられている。また、光源ユニット１９からポリゴンミラー１１を含み反射ミラー１７までのレーザ光束路が水平、若しくは、多少の傾斜をもって配置される。
【００４５】
図５及び図６（Ａ）、（Ｂ）は、本実施例における光走査装置１の回折光学素子１３の支持部の概略構成を示している。図５は、光学素子１３の要部平面図であり、図６（Ａ）、（Ｂ）は、それぞれ、図５の矢印Ａ方向とＢ方向から見たときの光学素子１３の要部正面図である。図７（Ａ）は、回折光学素子１３の概略構成を示す平面図であり、図７（Ｂ）は、図７（Ａ）の矢印Ａ方向から見たときの要部正面図である。
【００４６】
図５〜図７を参照すると、回折光学素子１３は、光軸Ｌを中心とする半径ｒａの球形状部１３ａ、１３ｂを副走査方向の光線領域外に有している。更に、球形状部１３ａ、１３ｂの中心を通り、光軸Ｌと主走査方向に直交する直線Ｍを中心とする半径ｒｃの円柱形状部１３ｃ、１３ｄが主走査方向の光線領域外に設けられている。
【００４７】
回折光学素子１３の支持は、図５に示すように、光学ハウジング９０に設けられた、図５にてＶ字形となるＶ字形支持部９０ｅに球形状部１３ａが光軸Ｌを中心として矢印Ｇ方向に回動することで、走査線の傾き調整が可能なように支持される。
【００４８】
ここで、球形状部１３ａとＶ字形支持部９０ｅとの当接部間隔である距離Ｐより球形状部１３ａの半径ｒａを小さくしている。このため、Ｖ字形支持部９０ｅにより球形状部１３ａを安定して保持することが可能である。
【００４９】
一方、図６に示すように、副走査方向に配置され、当接面９０ｆｓ、９０ｇｓが半径ｒｆの湾曲形状である棒状（ロッド状）の円柱形状支持部９０ｆ、９０ｇを光学ハウジング９０に設ける。円柱形状支持部９０ｆ、９０ｇに光学素子１３の円柱形状部１３ｃ、１３ｄが当接して支持される。これにより、円柱形状部１３ｃ、１３ｄは、直線Ｍを中心として矢印Ｒ方向に回動することで、走査線の曲り調整が可能なように支持される。円柱形状支持部９０ｆ、９０ｇは、図示するように、円柱形状部１３ｃ、１３ｄとの当接面９０ｆｓ、９０ｇｓが湾曲形状とされれば、横断面形状は、全体的に角柱とすることもでき、又、円柱とすることもできる。
【００５０】
このように、光学ハウジング９０に設けられたＶ字形支持部９０ｅに球形状部１３ａが直接支持されることで、部品公差の影響を小さくすることができる。そのため、光軸Ｌと球形状部１３ａの中心とのずれ量はわずかであり、傾き調整時に発生する光学性能の悪化の影響をほとんどなくすことができる。
【００５１】
また、Ｖ字形支持部９０ｅにより主走査、副走査方向にはガタが発生することなく球形状部１３ａの中心を位置決めすることができる。また、走査線の曲り調整が行なわれても、球形状部１３ａの中心位置は変化しないため、副走査方向の走査線位置の変化は少なくすることができる。
【００５２】
一方、光学ハウジング９０に設けられた円柱形状支持部９０ｆ、９０ｇに円柱形状部１３ｃ、１３ｄが直接支持されることで、部品公差の影響を小さくすることができる。従って、回折光学素子１３のピント方向の位置を精度良く位置決めすることができる。
【００５３】
また、円柱形状部同士で当接するため、走査線の傾き調整や曲り調整が行なわれても、回折光学素子１３のピント方向の位置は変化しない。このため、走査線の傾き調整や曲り調整を高精度に行うことができる。
【００５４】
なお、回折光学素子１３は、単一のプラスチック製で、射出成形により製作されており、球形状部１３ａ、１３ｂ及び円柱形状部１３ｃ、１３ｄの作成が容易である。
【００５５】
（走査線の傾き調整と曲がり調整）
次に、光走査装置１の走査線の傾き調整と曲がり調整方法について説明する。
【００５６】
図３及び図４において、本実施例では、光走査装置１の被走査体（感光ドラム）１３上の両端部及び光軸Ｌ上の中央に照射位置センサ２０１、２０２、２０３が設けられる。照射位置センサ２０１、２０２、２０３は、副走査方向にラインＣＣＤを配置して構成され、各センサ位置での走査線の照射位置を測定可能な走査線調整治具上に設けられている。
【００５７】
光源ユニット１９のレーザ発光ダイオード１９−１を発光し、ポリゴンミラー１１により偏向走査させることで、各照射位置センサ２０１、２０２、２０３上に走査された照射位置を測定する。
【００５８】
各照射位置センサ２０１、２０３の照射位置の差により、走査線傾きを求め、各照射位置センサ２０１、２０３の照射位置の平均値と、照射位置センサ２０２の照射位置の差により走査線曲りを求める。
【００５９】
走査線傾きと走査線曲りの値を走査線調整治具のモニタに表示しながら、回折光学素子１３を光軸Ｌ中心に矢印Ｇ方向に回動することで傾き調整を行なう。この際、走査線調整治具に設けられた不図示の付勢手段により、回折光学素子１３の球形状部１３ｂをＶ字形支持部９０ｅ方向に付勢することで球形状部１３ａを確実にＶ字形支持部９０ｅに当接することができる。
【００６０】
なお、球形状部１３ｂをＶ字形支持部９０ｅ方向に付勢することで、傾き調整や曲がり調整で回折光学素子１３の姿勢が変化しても、一定して付勢することが可能である。
【００６１】
次に、回折光学素子１３を直線Ｍ中心に矢印Ｒ方向に回動することで、曲り調整を行う。この際、走査線調整治具に設けられた不図示の付勢手段により、回折光学素子１３の円柱形状部１３ｃ、１３ｄを円柱形状支持部９０ｆ、９０ｇ方向に付勢することで円柱形状部１３ｃ、１３ｄを確実に円柱形状支持部９０ｆ、９０ｇに当接することができる。
【００６２】
なお、円柱形状部１３ｃ、１３ｄを円柱形状支持部９０ｆ、９０ｇ方向に付勢することで、傾き調整や曲がり調整で回折光学素子１３の姿勢が変化しても、一定して付勢することが可能である。
【００６３】
こうして走査線の傾き調整と曲がり調整を行い、走査線の傾きと走査線曲がりの値が所定の値以下となり、回折光学素子１３の位置が決定すると紫外線硬化型の接着剤を紫外線照射する。これにより、回折光学素子１３の球形状部１３ａがＶ字形支持部９０ｅに、回折光学素子１３の円柱形状部１３ｃ、１３ｄが円柱形状支持部９０ｆ、９０ｇに接着固定される。
【００６４】
このように、回折光学素子１３の略中央と両端部を接着固定するため、回折光学素子１３は振動等の影響を受けにくい構成とすることができる。
【００６５】
なお、回折光学素子１３の円柱形状部１３ｃ、１３ｄの半径ｒｃより円柱形状支持部９０ｆ、９０ｇの半径ｒｆの方が大きい。このため、接着に好適とされる２０〜１００μｍの領域を広くとることが可能となり、接着強度が上がり、より振動等の影響を受けにくい構成とすることができる。
【００６６】
こうして、走査線の傾き調整と曲がり調整を行った光走査装置１を用いてデジタルフルカラー複写機に組み込むため、デジタルフルカラー複写機は、色ずれの少ない高画質のコピーを行うことができる。
【００６７】
勿論、上記実施例で説明した光走査装置１は、フルカラー複写機のみならず、白黒用の複写機、レーザービームプリンタなどにも同様に適用することができる。
【００６８】
以上説明したように、本発明の光走査装置は、一つの筐体９０を備えている。筐体９０内に、光源１９と、光源１９から出射した光束を、偏向走査する偏向手段１１と、副走査方向のパワーを有する光学素子１３を有し、偏向手段１１にて偏向走査された光束を感光体２に結像させる結像手段１２とを有する。そして、副走査方向のパワーを有する光学素子１３は、光軸を中心とした球形状部１３ａ、１３ｂを副走査方向の光線領域外に有している。更に、球形状部１３ａ、１３ｂの中心を通り、且つ、光軸中心と主走査方向に直交する軸Ｍを中心とした円柱形状部１３ｃ、１３ｄを主走査方向の光線領域外に設ける。筐体９０は、副走査方向のパワーを有する光学素子１３の球形状部１３ａ、１３ｂをＶ字形支持部９０ｅで支持し、光軸中心と主走査方向に直交する軸中心の円柱形状部１３ｃ、１３ｄを副走査方向の円柱形状支持部９０ｆ、９０ｇで支持する。
【００６９】
従って、本発明の光走査装置１は、簡単な構成で走査線の傾きと曲りを一つの光学素子だけで、光学性能をほとんど悪化させることなく調整可能とすることで、ローコストでコンパクトに高画質な光走査装置を提供することが可能である。
【００７０】
更に、本発明の光走査装置は、更に、筐体９０の円柱形状支持部９０ｆ、９０ｇの半径ｒｆが、光学素子１３の円柱形状部１３ｃ、１３ｄの半径ｒｃより大きい。こうすることで、安定して光学素子１３を支持することが可能となり、より高画質な光走査装置を提供することが可能である。
【００７１】
更に、本発明の光走査装置は、光学素子１３の球形状部１３ａ、１３ｂの半径ｒａが、筐体９０のＶ字形支持部９０ｅと光学素子１３の球形状部１３ａ、１３ｂとの当接部間隔Ｐより小さい。こうすることで、より安定して光学素子を支持することが可能となり、より高画質な光走査装置を提供することが可能である。
【００７２】
更に又、本発明の画像形成装置は、上記構成の光走査装置１を有することで、ローコストでコンパクトに色ズレが少ない高画質の画像形成装置を提供することが可能である。
【図面の簡単な説明】
【００７３】
【図１】本発明に係る画像形成装置の一実施例であるデジタルフルカラー複写機の概略構成断面図である。
【図２】本発明に係る光走査装置の一実施例の要部概略構成を示す平面図である。
【図３】本発明の一実施例である光走査装置の図２の矢印Ａ方向から見たときの要部正面図である。
【図４】本発明の一実施例である光走査装置の図２の矢印Ｂ方向から見たときの要部正面図である。
【図５】本発明の一実施例である光学素子の支持部の概略構成を示す平面図である。
【図６】本発明の一実施例である光学素子の支持部の概略構成を示し、図６（Ａ）は、図５の矢印Ａ方向から見たときの要部正面図であり、図６（Ｂ）は、図５の矢印Ｂ方向から見たときの要部正面図である。
【図７】本発明の一実施例である光学素子の概略構成を示し、図７（Ａ）は、光学素子の平面図であり、図７（Ｂ）は、図７（Ｂ）の矢印Ａ方向から見たときの正面図である。
【図８】色ずれの各パラメータを示す図である。
【図９】従来の光走査装置の走査線傾き調整を示す図である。
【図１０】従来の光走査装置の走査線曲り調整を示す図である。
【図１１】従来の光走査装置の走査線傾き調整を示す図である。
【図１２】従来の光走査装置の走査線曲り調整を示す図である。
【図１３】従来の光走査装置の走査線傾き調整を示す図である。
【符号の説明】
【００７４】
１                      光走査装置
１３                    回折光学素子
１３ａ、１３ｂ          球形状部
１３ｃ、１３ｄ          円柱形状部
９０                    光学ハウジング
９０ｅ                  Ｖ字形支持部
９０ｆ、９０ｇ          円柱形状支持部
【図１】
0005084488.tif 000002
【図２】
0005084488.tif 000003
【図３】
0005084488.tif 000004
【図４】
0005084488.tif 000005
【図５】
0005084488.tif 000006
【図６】
0005084488.tif 000007
【図７】
0005084488.tif 000008
【図８】
0005084488.tif 000009
【図９】
0005084488.tif 000010
【図１０】
0005084488.tif 000011
【図１１】
0005084488.tif 000012
【図１２】
0005084488.tif 000013
【図１３】
0005084488.tif 000014